(57)【要約】【課題】意匠の自由度、及び当該意匠を指示するポインタの視認性が高い操作装置を提供する。【解決手段】操作装置１は、上部３２の中央に開口３２１が形成され、開口３２１の周囲の一部に光を透過する切欠部３５を有し、回転操作がなされるダイヤル３と、ダイヤル３の開口３２１から露出する露出領域４１ａ、及び露出領域４１ａの周囲に設けられ、切欠部３５と対向して自身の裏面４ｂ側からの照明光６０の一部が透過すると共に切欠部３５を介して自身の表面４ａ側に入射した自然光７の一部が反射する透過反射領域４２ａを有し、露出領域４１ａに意匠が形成された銘板４と、を備えて概略構成されている。【選択図】図１
2016203746.tif 000002
【特許請求の範囲】
【請求項１】
上部の中央に開口が形成され、前記開口の周囲の一部に光を透過する透過領域を有し、回転操作がなされる回転操作部と、
前記回転操作部の前記開口から露出する露出領域、及び前記露出領域の周囲に設けられ、前記透過領域と対向して自身の裏面側からの照明光の一部が透過すると共に前記透過領域を介して自身の表面側に入射した自然光の一部が反射する透過反射領域を有し、前記露出領域に意匠が形成された意匠部と、
を備えた操作装置。
【請求項２】
前記意匠部が円形状を有し、
前記透過反射領域が円周に沿って帯状に形成される、
請求項１に記載の操作装置。
【請求項３】
本体と、
前記本体と一体とされ、前記回転操作部に内包される筒部と、
を有し、
前記意匠部が前記筒部の上部に配置された、
請求項１又は２に記載の操作装置。
【請求項４】
前記筒部の貫通孔を介して少なくとも前記意匠部の前記透過反射領域を照明する照明部を有する請求項３に記載の操作装置。
【発明の詳細な説明】
【技術分野】
【０００１】
本発明は、操作装置に関する。
【背景技術】
【０００２】
従来の技術として、操作された状態を指示する第１透光部を備え、回動させることによって操作状態を切り替える回転操作部と、回転操作部の背後に配設され、操作状態を表示する複数の表示意匠からなる表示意匠部を有する指標部とを備えた回転操作スイッチが知られている（例えば、特許文献１参照。）。
【０００３】
この回転操作スイッチは、第１透光部が回転操作部の中央の領域ではなく、円周に近い領域に設けられている。操作者は、この第１透光部を通して操作された状態を表示する表示意匠を視認することができる。
【先行技術文献】
【特許文献】
【０００４】
【特許文献１】特開２００６−１６４８５６号公報
【発明の概要】
【発明が解決しようとする課題】
【０００５】
しかし、従来の回転操作スイッチは、第１透光部を通して表示意匠を視認するので、表示意匠の視認性を高めるために表示意匠を大きくすると第１透光部も大きくしなければならず、また第１透光部の形状によって表示意匠に制限が生じる問題がある。
【０００６】
従って、本発明の目的は、高い意匠の自由度を有すると共に、当該意匠を指示するポインタの構成部品が少ない操作装置を提供することにある。
【課題を解決するための手段】
【０００７】
本発明の一態様は、上部の中央に開口が形成され、開口の周囲の一部に光を透過する透過領域を有し、回転操作がなされる回転操作部と、回転操作部の開口から露出する露出領域、及び露出領域の周囲に設けられ、透過領域と対向して自身の裏面側からの照明光の一部が透過すると共に透過領域を介して自身の表面側に入射した自然光の一部が反射する透過反射領域を有し、露出領域に意匠が形成された意匠部と、を備えた操作装置を提供する。
【発明の効果】
【０００８】
本発明によれば、高い意匠の自由度を有すると共に、当該意匠を指示するポインタの構成部品が少なくすることができる。
【図面の簡単な説明】
【０００９】
【図１】図１（ａ）は、実施の形態に係る操作装置の一例を示す斜視図であり、図１（ｂ）は、操作装置の一部の一例を示す展開図である。
【図２】図２（ａ）は、実施の形態に係る操作装置を上面から見た上面図の一例であり、図２（ｂ）は、操作装置の銘板の一例を示す上面図であり、図２（ｃ）は、図２（ｂ）のII（ｃ）-II（ｃ）線で切断した断面を矢印の方向から見た断面図の一例である。
【図３】図３（ａ）は、実施の形態に係る操作装置の図２（ａ）のIII（ａ）-III（ａ）線で切断した断面の一部を矢印方向から見た断面図の一例であり、図３（ｂ）は、変形例に係る操作装置の図３（ａ）に対応する断面図の一例である。
【発明を実施するための形態】
【００１０】
（実施の形態の要約）
実施の形態に係る操作装置は、上部の中央に開口が形成され、開口の周囲の一部に光を透過する透過領域を有し、回転操作がなされる回転操作部と、回転操作部の開口から露出する露出領域、及び露出領域の周囲に設けられ、透過領域と対向して自身の裏面側からの照明光の一部が透過すると共に透過領域を介して自身の表面側に入射した自然光の一部が反射する透過反射領域を有し、露出領域に意匠が形成された意匠部と、を備えて概略構成されている。
【００１１】
[実施の形態]
（操作装置１の全体構成）
図１（ａ）は、実施の形態に係る操作装置の一例を示す斜視図であり、図１（ｂ）は、操作装置の一部の一例を示す展開図である。図２（ａ）は、実施の形態に係る操作装置を上面から見た上面図の一例であり、図２（ｂ）は、操作装置の銘板の一例を示す上面図であり、図２（ｃ）は、図２（ｂ）のII（ｃ）-II（ｃ）線で切断した断面を矢印の方向から見た断面図の一例である。なお、以下に記載する実施の形態に係る各図において、図形間の比率は、実際の比率とは異なる場合がある。
【００１２】
この操作装置１は、一例として、車両の空調装置を操作するものである。本実施の形態の操作装置１は、温度調整された空気が吹き出す吹出口の選択を可能とする装置であるが、これに限定されず、空調装置の温度設定や他の電子機器の設定値の設定、機能の切り替えなどに利用可能である。また操作装置１は、電子機器の操作装置として、単体で使用されても良いし、複数で使用されても良い。
【００１３】
この操作装置１は、図１（ａ）に示すように、上部３２の中央に開口３２１が形成され、開口３２１の周囲の一部に光を透過する透過領域を有し、回転操作がなされる回転操作部としてのダイヤル３と、ダイヤル３の開口３２１から露出する露出領域４１ａ、及び露出領域４１ａの周囲に設けられ、透過領域と対向して自身の裏面４ｂ側からの照明光の一部が透過すると共に透過領域を介して自身の表面４ａ側に入射した自然光の一部が反射する透過反射領域４２ａを有し、露出領域４１ａに意匠が形成された意匠部としての銘板４と、を備えて概略構成されている。
【００１４】
この光を透過する透過領域とは、一例として、図１（ａ）に示すように、上部３２の一部を切り欠くように設けられた切欠部３５である。意匠は、一例として、複数のマーク４３である。
【００１５】
また操作装置１は、例えば、図１（ｂ）に示すように、本体２と、回転伝達体５と、照明部６と、を備えている。
【００１６】
（本体２の構成）
本体２は、例えば、ＡＢＳ（acrylonitrile butadiene styrene）などの樹脂材料を用いて形成されている。この本体２は、図１（ｂ）に示すように、矩形状の基部２０と、筒形状の筒部２１と、を有している。
【００１７】
この筒部２１は、本体２の基部２０と一体とされ、ダイヤル３に内包されている。つまりダイヤル３が筒部２１を覆うように本体２に配置されている。ダイヤル３は、この筒部２１の周囲を、回転軸１００を軸として回転する。
【００１８】
ダイヤル３と筒部２１とは、接触しないように構成されている。また筒部２１の端面２２は、ダイヤル３が本体２に取り付けられると、ダイヤル３の内側となる。つまりこの筒部２１は、ダイヤル３の回転を支持するものでなく、本体２に取り付けられた照明部６の照明光６０を銘板４に導くものである。
【００１９】
この本体２には、回転伝達体５のギア部５０と噛み合うギアが配置されている。このダイヤル３の正逆方向の回転は、図１（ａ）に示す矢印Ａ及び矢印Ｂ方向である。
【００２０】
（ダイヤル３の構成）
ダイヤル３は、一例として、ＡＢＳなどの樹脂、又はアルミニウムなどの金属材料を用いて形成されている。このダイヤル３は、径が短い上部分が切り取られたような円錐形状を有している。
【００２１】
このダイヤル３の上部３２は、回転軸１００に向かって突出して円形の開口３２１を形成している。この上部３２の一部を切り欠くことにより、切欠部３５が形成されている。この切欠部３５は、切欠部３５に露出する透過反射領域４２ａと共に、銘板４のマーク４３を指し示すポインタ１０を構成している。なお切欠部３５は、図２（ａ）に示すように、開口３２１と連結しているが、これに限定されない。
【００２２】
またダイヤル３の上部３２は、一体となっている構成に限定されず、切欠部３５が形成された別部材を取り付ける構成としても良い。
【００２３】
（銘板４の構成）
図３（ａ）は、実施の形態に係る操作装置の図２（ａ）のIII（ａ）-III（ａ）線で切断した断面の一部を矢印方向から見た断面図の一例である。
【００２４】
銘板４には、空調装置の選択可能な吹出口が複数のマーク４３によって示されている。操作者は、所望する吹出口のマーク４３にポインタ１０を合わせることにより、吹出口を切り替えることが可能となる。
【００２５】
銘板４は、例えば、図２（ｃ）に示すように、円板形状を有し、透過反射領域４２ａが円周に沿って帯状に形成されている。この帯の幅は、上面視において、開口３２１から露出しない程度の幅とされる。
【００２６】
また銘板４の中央に位置する露出領域４１ａは、ダイヤル３の開口３２１に応じた円形状を有し、複数のマーク４３が円周に沿って配置されている。この複数のマーク４３は、例えば、銘板４の裏面４ｂ側からの照明光６０を透過するので、照明部６によって照明されている。
【００２７】
この銘板４は、例えば、本体２の筒部２１の端面２２に接着剤などによって取り付けられている。なお、銘板４は、この取り付け方法に限定されず、筒部２１と一体に形成されても良い。また銘板４は、例えば、筒部２１に設けられた凹部に嵌め込まれることで筒部２１に取り付けられても良い。
【００２８】
銘板４は、例えば、図２（ｃ）に示すように、基部４０と、基部４０の裏面４０ｂ側に形成された第１の印刷部４１及び第２の印刷部４２と、を有している。この基部４０は、図２（ｂ）及び図２（ｃ）に示すように、中央が凸となる形状を有している。基部４０は、例えば、ポリカーボネートなどの光の透過率が高い樹脂材料などによって形成される。本実施の形態では、この基部４０の表面が銘板４の表面４ａとなっている。なお第１の印刷部４１及び第２の印刷部４２は、基部４０の表面に形成されても良い。
【００２９】
第１の印刷部４１及び第２の印刷部４２は、印刷によって形成されている。露出領域４１ａは、第１の印刷部４１によって形成される領域である。透過反射領域４２ａは、第２の印刷部４２によって形成される領域である。
【００３０】
第１の印刷部４１は、例えば、複数のマーク４３以外の領域が照明光６０を遮光するように黒色で印刷されている。複数のマーク４３は、例えば、照明光６０の一部が透過するように白色で印刷されている。
【００３１】
第２の印刷部４２は、例えば、照明光６０の一部を透過するように黒色以外の色で印刷され、自然光７の反射のし易さから白色で印刷されることが好ましい。本実施の形態では、第２の印刷部４２は、白色で印刷される。
【００３２】
操作者は、図３（ａ）に示すように、第２の印刷部４２（透過反射領域４２ａ）を透過した透過光６１を、ダイヤル３の切欠部３５を介して見るので、あたかも切欠部３５が光っているように、つまりポインタ１０からの光として視認する。
【００３３】
また第２の印刷部４２は、図３（ａ）に示すように、ダイヤル３の切欠部３５を介して入射した自然光７の一部を反射する。従って銘板４が照明されていなくても、操作者は、基部４０の表面４ａ、及び第２の印刷部４２の表面４２０で反射した自然光７の反射光７０を、ダイヤル３の切欠部３５を介して見る。つまり操作者は、銘板４が照明されていなくても、ポインタ１０を視認することが可能となる。
【００３４】
なお第１の印刷部４１は、第２の印刷部４２を透過した透過光６１が開口３２１から漏れないように、求められるポインタ１０の視認性が確保される範囲で、半径が大きく形成され、開口３２１の下方に位置するように構成されても良い。
【００３５】
なお変形例として、第２の印刷部４２は、色が段階的に変わるように構成されても良い。また第２の印刷部４２は、色がグラデーションのように連続的に変わるように構成されても良い。
【００３６】
（照明部６の構成）
照明部６は、本体２の筒部２１の貫通孔２３を介して少なくとも銘板４の透過反射領域４２ａを照明する。この照明部６は、一例として、ＬＥＤ（light emitting diode）などの発光素子を含んで構成されている。
【００３７】
この照明部６は、例えば、本体２の筒部２１の貫通孔２３内に配置され、貫通孔２３を介して、銘板４を裏面４ｂから照明する。
【００３８】
照明部６は、一例として、車両のヘッドライトが点灯することにより、点灯する。この点灯により、照明部６から出力された照明光６０は、本体２の筒部２１を通って裏面４ｂから銘板４に入射する。
【００３９】
銘板４の第１の印刷部４１に到達した照明光６０は、マーク４３以外の領域では遮光され、マーク４３に到達し、基部４０を透過した照明光６０のみがダイヤル３の開口３２１を通過して操作者に視認される。
【００４０】
また銘板４の第２の印刷部４２に到達し、基部４０を透過した照明光６０は、切欠部３５と対向する領域以外の領域ではダイヤル３の上部３２により遮光され、切欠部３５を通過した照明光６０のみが操作者に視認される。
【００４１】
（効果）
実施の形態の操作装置１は、高い意匠の自由度を有すると共に、当該意匠を指示するポインタの構成部品が少なくすることができる。具体的には、操作装置１は、ポインタ１０をダイヤル３の円周に配置しているので、この構成を採用しない場合と比べて、露出領域４１ａが広く、意匠の自由度が高い。また操作装置１は、ポインタ１０が、ダイヤル３の切欠部３５と銘板４の透過反射領域４２ａ（第２の印刷部４２）によって形成されるので、照明部からの光を導くライトガイドがダイヤルに配置される場合と比べて、ライトガイドが必要なく、ポインタ１０の構成部品が少なくて製造コストが低減される。
【００４２】
操作装置１は、本体２の筒部２１の側面に開口を形成し、この開口を通過する光をライトガイドで切欠部３５まで導く場合と比べて、ライトガイドを用いることなく照明光６０が切欠部３５から出力されるので、照明光６０のロスが少なく、効率良くマーク４３を照明すると共にポインタ１０を形成することができる。また操作装置１は、筒部２１に開口を形成する必要がないので、本体２を形成し易い。さらに操作装置１は、照明の効率が良いので、低出力の発光素子を用いることができて製造コストと消費電力が低減される。
【００４３】
操作装置１は、上述のライトガイドを必要としないので、ダイヤル３と本体２の筒部２１との隙間を狭くすることができ、小型化することができる。
【００４４】
（変形例について）
図３（ｂ）は、変形例に係る操作装置の図３（ａ）に対応する断面図の一例である。この変形例に係る操作装置１は、切欠部３５に透光部材８が配置されている。この透光部材８は、ポリカーボネートなどの樹脂材料、及びガラスなどの光の透過率が高い材料が用いられる。
【００４５】
この透光部材８は、一例として、切欠部３５に嵌め込まれても良いし、ダイヤル３と共に二色成形によって形成されても良い。
【００４６】
また透光部材８は、視認性を向上させるため、光を散乱する粒子を含んで構成されても良い。さらに透光部材８は、レンズの機能を有していても良い。
【００４７】
銘板４の第２の印刷部４２に到達し、基部４０を透過した照明光６０は、切欠部３５と対向する領域以外の領域ではダイヤル３の上部３２により遮光され、切欠部３５の透光部材８を通過した照明光６０のみが操作者に視認される。
【００４８】
第２の印刷部４２は、図３（ｂ）に示すように、ダイヤル３の切欠部３５の透光部材８を介して入射した自然光７の一部を反射する。従って銘板４が照明されていなくても、操作者は、基部４０の表面４ａ、及び第２の印刷部４２の表面４２０で反射した自然光７の反射光７０を、ダイヤル３の切欠部３５の透光部材８を介して見る。つまり操作者は、銘板４が照明されていなくても、ポインタ１０を視認することが可能となる。
【００４９】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００５０】
１…操作装置、２…本体、３…ダイヤル、４…銘板、４ａ…表面、４ｂ…裏面、５…回転伝達体、６…照明部、７…自然光、８…透光部材、１０…ポインタ、２０…基部、２１…筒部、２２…端面、２３…貫通孔、３２…上部、３５…切欠部、４０…基部、４０ｂ…裏面、４１…印刷部、４１ａ…露出領域、４２…印刷部、４２ａ…透過反射領域、４３…マーク、５０…ギア部、６０…照明光、６１…透過光、７０…反射光、１００…回転軸、３２１…開口、４２０…表面
【図１】
2016203746.tif 000003
【図２】
2016203746.tif 000004
【図３】
2016203746.tif 000005